(57)【特許請求の範囲】
【請求項１】
内部に複数の撹拌羽根を備えたドラムからなる撹拌乾燥機において、前記撹拌羽根を立設した回転シャフトに、６００ｍｍ以上の周長を備えたカバー部材を装着したものであって、前記カバー部材が、回転シャフトに装着されたとき、軸方向に直角の断面外形が円形に形成され、中央に前記回転シャフトに嵌着される凹部を備え、かつ軸方向に分割可能な複数の金属製カバーピースからなるものであって、前記回転シャフトに対して、そのカバー部材を着脱自在に装着したものであることを特徴とする撹拌乾燥機。
【請求項２】
内部に複数の撹拌羽根を備えたドラムからなる撹拌乾燥機において、前記撹拌羽根を立設した回転シャフトに、６００ｍｍ以上の周長を備えたカバー部材を装着したものであって、回転シャフトに設けられた前記撹拌羽根の固定用軸体にカバー部材取付金具を予め取り付けておき、このカバー部材取付金具に断面円弧状に成形した金属板材を取り付けて、前記回転シャフトの周囲に断面外形が円形に組み立てられたカバー部材を形成したことを特徴とする撹拌乾燥機。
【発明の詳細な説明】
【０００１】
【発明の属する技術分野】
本発明は、内部に回転攪拌羽根を備えた撹拌乾燥機の改良された構造に関する。
【０００２】
【従来の技術】
従来、都市ごみ処理施設では、後段の焼却処理などのためにごみが含む水分を除去する乾燥施設が設置されている。乾燥施設に用いられる乾燥機には、種々の形式のものが用いられるが、乾燥効率が高く、操作が比較的容易な乾燥機として、図２に示すような回転ドラム１の内部に軸方向に配置された回転シャフト２に攪拌羽根２１、２１を設けた形式の攪拌乾燥機が多く用いられている。
【０００３】
この種の攪拌乾燥機では、回転ドラム１の一方端（図２では左端）から水分４０〜８０％程度の被処理物であるごみが投入され、この回転ドラム１の回転作用と、攪拌羽根２１の回転作用の相乗効果で投入ごみは攪拌されながら回転ドラム１内を他方端の出口に向かって移動するのであるが、その間に、この回転ドラム１に導入された加熱された乾燥用熱風によって水分が除去されて、出口（図２では右端）からは水分１０％以下の乾燥ごみとして取り出される。
【０００４】
ところが、被処理ごみ中には、不可避的に含まれている布類の切れ端、ひも類などの細長いひも状物が前記攪拌羽根２１を回転させる回転シャフト２に巻き付くという現象が頻繁に見られるのである。このように、回転シャフト２に巻き付いた可燃性のひも状物は、回転ドラム・内に導入された熱風に長く加熱されることから、発火して火災の原因となったり、また巻き付き方が偏ってくると、軸バランスが崩れて、異常トルクが発生し、機器の異常停止や損傷の原因ともなっていた。
【０００５】
そして、これらひも状物が一旦、巻き付くと、自然に外れることは少ないので、運転を止めて内容物を排出してから手作業で取り除かなければならないという大変面倒な作業となっていた。特に、この攪拌乾燥機の前段に、２軸せん断式のごみ破砕機が設けられている場合には、衣類の布地やプラスチクシートなどがひも状になり易く、ごみ破砕機のせん断刃物が磨耗すると、ひも状物がより多く発生しやすいという傾向があって、前記の回転シャフト２への巻く付きが激しくなるという問題があった。
【０００６】
【発明が解決しようとする課題】
本発明は、上記の問題点を解決するためになされたものであり、攪拌乾燥機における前記したようなひも状物の回転シャフトへの巻き付きを防止できるシャフト構造を持つ攪拌乾燥機を提供する。
【０００７】
【課題を解決するための手段】
本発明は、前記したひも状物の回転シャフトへの巻き付き現象を多数のケースについて調査、解析した結果、攪拌乾燥機に送り込まれてくるひも状物の長さがには限界があって、ある一定値を超える事例がごく少ないという知見を得たことに基づいている。
【０００８】
すなわち、上記の問題は、内部に複数の撹拌羽根を備えたドラムからなる撹拌乾燥機において、前記撹拌羽根を立設した回転シャフトに、６００ｍｍ以上の周長を備えたカバー部材を装着したものであって、前記カバー部材が、回転シャフトに装着されたとき、軸方向に直角の断面外形が円形に形成され、中央に前記回転シャフトに嵌着される凹部を備え、かつ軸方向に分割可能な複数の金属製カバーピースからなるものであって、前記回転シャフトに対して、そのカバー部材を着脱自在に装着したものであることを特徴とする本発明の撹拌乾燥機によって解決することができる。
【０００９】
【００１０】
さらに、上記の問題は、内部に複数の撹拌羽根を備えたドラムからなる撹拌乾燥機において、前記撹拌羽根を立設した回転シャフトに、６００ｍｍ以上の周長を備えたカバー部材を装着したものであって、回転シャフトに設けられた前記撹拌羽根の固定用軸体にカバー部材取付金具を予め取り付けておき、このカバー部材取付金具に断面円弧状に成形した金属板材を取り付けて、前記回転シャフトの周囲に断面外形が円形に組み立てられたカバー部材を形成したことを特徴とする本発明の撹拌乾燥機によって解決することができる。
【００１１】
一般に用いられる攪拌乾燥機の回転シャフトは、外径５０Ａ〜３００Ａであるが、そのうち２５０Ａ未満の場合には、６００ｍｍ程度のひも状物を含む都市ごみを攪拌するため回転すると、それら長いひも状物の巻き付きが避けられなかったのであるが、本発明の場合は、回転シャフト１の実質的な周長が少なくとも６００ｍｍに拡大されているので、ひも状物が回転シャフト１にからんでも、１周以上巻き付くことがなく、順次外れていくのである。
【００１２】
【発明の実施の形態】
次に、本発明の撹拌乾燥機に係る実施形態について、図１、２、３を参照しながら説明する。
本発明の特徴は、図２に例示する複数の撹拌羽根を備えたドラム式撹拌乾燥機のうち、周長が６００未満の回転シャフト２（外径が２５０Ａ未満が該当する）を備えている既存の攪拌乾燥機を対象として、周長が６００ｍｍ以上となるカバー部材３をその回転シャフト２に装着して、処理ごみ中のひも状物の巻き付きを防止するようにした点にある。
【００１３】
このカバー部材３の１例は、図１に示すようなカバーピース３ａ、３ｂ、３ｃから構成されるもので、回転シャフト２に装着されたとき、それぞれの外周面３１は、軸方向に直角の断面外形が円形に形成されるよう円弧面に造形されている。そしてさらに、各カバーピース３ａ、３ｂ、３ｃの中央部分には、前記回転シャフト２に嵌着される凹部３２を備えた形状に造形されているものである。このカバーピースは、適宜な金属部材からなるが、図示の３個１組のケースに限定されるものではない。
【００１４】
このカバー部材３の周長を具体的に決定するには、その攪拌乾燥機が設置される処理施設の個別の状況に対応するのが最も好ましい。そのためには、予め、代償的な処理条件における乾燥対象のごみの内容を調査して、ひも状物の実態を解明しておくのがよい。そうすれば、含まれるひも状物の長さのデータから、その巻き付を経済的に解消できるカバー部材３の周長を統計学的に決定することができる。
【００１５】
本発明では、周長を特定しているが、これは本件発明者らが、前記したようにひも状物の回転シャフトへの巻き付き現象を多数のケースについて調査、解析した結果、ひも状物の長さはほぼ６００ｍｍが限界であることを解明した点に基づいている。従って、本発明のように周長が６００ｍｍ以上となるカバー部材３を用いて、回転シャフト２の周長を拡大したのに等しくすれば、前記ひも状物の巻き付きは実質的に予防できる利点が得られるのである。
【００１６】
また、本発明のカバー部材３は、前記の通りカバーピース３ａ、３ｂ、３ｃを回転シャフト２に嵌め付けて組み立てられるが、それぞれは着脱自在な固定手段、例えば、図示した金属バンド４を巻き回して固定する手段が採用され得る。この固定手段は、これに限られず、相互にボルト止めして固定する手段も利用できる。かくして、本発明のカバー部材３は、回転シャフト１に着脱自在に装着できるので、点検、清掃、サイズ変更あるいは補修などの際に取り付け、取り外しが容易となるから、メンテナンス作業自体が容易になる利点が得られる。
【００１７】
また、本発明に係るカバー部材の他の形態を図３に例示する。
この実施形態では、回転シャフト２に設けられた前記撹拌羽根（図示省略。図２では２１として表示）の固定用軸体２２、２２の、回転シャフト２の軸心から所定の位置にカバー部材取付金具２３、２３を予め取り付けておき、少なくとも隣り合うカバー部材取付金具２３、２３にわたって、断面円弧状に成形した金属板材５ａ、５ｂ、５ｃ、５ｄがねじ止めなどで取り付けられている。
【００１８】
かくして、金属板材５ａ、５ｂ、５ｃ、５ｄは、前記回転シャフト２の周囲に断面外形が円形で、かつ周長が６００ｍｍ以上となるように組み立てられたカバー部材５を形成するので、先の実施形態と同様の利点を得ることができるうえ、その構造がより簡単であるという利点がある。なお、このようなカバー部材５は、その前端部、後端部ともに被処理物が流入しないよう閉鎖されているものとする。この点は、図１のカバー部材３の場合も同様とする。
【００１９】
【発明の効果】
本発明の攪拌乾燥機は、以上説明したように構成されているので、攪拌乾燥機における攪拌羽根駆動用の回転シャフトに対するごみ中のひも状物の巻き付き現象を予防することができるから、点検、清掃などのため運転休止する頻度が減少し、装置の稼動効率が向上し、メンテナンス費用も節減できる。またメンテナンスの際、カバー部材の着脱も簡便にできるので、この点においてもメンテナンス費用の節減に一層貢献できるという優れた効果がある。よって本発明は、従来の問題点を解消した攪拌乾燥機として、その実用的価値はきわめて大なるものがある。
【図面の簡単な説明】
【図１】本発明に供せられるカバー部材の１例を示す要部斜視図。
【図２】本発明が対象とする攪拌乾燥機を示す一部切欠き側面図。
【図３】本発明に供せられるカバー部材の他の事例を示す要部斜視図。
【符号の説明】
１  ドラム、２  回転シャフト、２１  攪拌羽根、３  カバー部材、３ａ、３ｂ、３ｃ  カバーピース、３１  外周面、３２  凹部、４  金属バンド。
【図１】
0003711269.tif 000002
【図２】
0003711269.tif 000003
【図３】
0003711269.tif 000004